(57)【要約】【課題】レジューム情報をより効率的に記憶できる再生装置，電子機器，及びテレビ放送受像装置を提供する。【解決手段】ＤＶＤの再生を、任意の設定入力により変化する再生条件情報又は再生により経時的に変化する再生条件情報に従って行うＤＶＤプレーヤ７に、ＤＶＤプレーヤ７に操作を指示するための操作信号を出力するリモコン５と、リモコン５から操作信号として再生停止信号が入力された際に、ＤＶＤの複数の再生条件情報のうち変化があった再生条件情報を判別し、変化のあった再生条件情報の組合せを特定するヘッダ情報と、変化のあった再生条件情報のみからなるレジューム情報とをフラッシュメモリ８に記憶させる記憶制御手段（ＣＰＵ９２，レジューム情報保存プログラム９４Ａ）と、を備えた。【選択図】図２
2007164860.tif 000002
【特許請求の範囲】
【請求項１】
ＤＶＤの再生を、任意の設定入力により変化する再生条件情報又は再生により経時的に変化する再生条件情報に従って行うＤＶＤ再生装置を内蔵するテレビ放送受像装置において、
前記ＤＶＤ再生装置に操作を指示するための操作信号を出力する出力部を備え、
前記ＤＶＤ再生装置は、
前記出力部から前記操作信号として再生停止信号が入力された際に、前記ＤＶＤの複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記ＤＶＤの再生を再開する再生制御手段を備えることを特徴とするテレビ放送受像装置。
【請求項２】
記録媒体の再生を、任意の設定入力により変化する再生条件情報又は再生により経時的に変化する再生条件情報に従って行う再生装置において、
前記再生装置に操作を指示するための操作信号を出力する出力部と、
前記出力部から前記操作信号として再生停止信号が入力された際に、前記記録媒体の複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
を備えることを特徴とする再生装置。
【請求項３】
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記記録媒体の再生を再開する再生制御手段を備えることを特徴とする請求項２に記載の再生装置。
【請求項４】
記録媒体の再生を、任意の設定入力により変化する再生条件情報又は再生により経時的に変化する再生条件情報に従って行う再生装置を内蔵する電子機器において、
前記再生装置に操作を指示するための操作信号を出力する出力部を備え、
前記再生装置は、
前記出力部から前記操作信号として再生停止信号が入力された際に、前記記録媒体の複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
を備えることを特徴とする電子機器。
【請求項５】
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記記録媒体の再生を再開する再生制御手段を備えることを特徴とする請求項４に記載の電子機器。
【発明の詳細な説明】
【技術分野】
【０００１】
本発明は、再生装置，電子機器，及びテレビ放送受像装置に関する。
【背景技術】
【０００２】
従来、ＤＶＤ等の光ディスク等の再生装置において、再生終了時の再生終了位置や再生環境設定等（例えば、オーディオ，サブタイトル，アングル，タイム等）のレジューム情報を再生装置のメモリに記憶しておき、再度光ディスクを再生する際に、当該レジューム情報を参照して再生を行うものが知られている。また、光ディスクのＵＴＯＣ領域に前回の再生終了時の再生終了位置や再生環境設定等のレジューム情報を記録し、再度当該光ディスクを再生する場合に、当該ＵＴＯＣ領域に記録されたレジューム情報を参照して、再生を行う再生装置が知られている（例えば、特許文献１）。
【特許文献１】特開平１０−０９７７６６号公報
【発明の開示】
【発明が解決しようとする課題】
【０００３】
しかしながら、レジューム情報を全てメモリに記憶することとすると、メモリとの通信時間が長くなってしまい、レジューム情報の記憶にかかる時間が長くなってしまっていた。また、特許文献１では、全てのレジューム情報をＵＴＯＣ領域に記憶するので、再生装置本体にメモリを不要とすることが可能だが、依然としてレジューム情報の記憶に時間がかかってしまう。
【０００４】
本発明の課題は、レジューム情報をより効率的に記憶できる再生装置，電子機器，及びテレビ放送受像装置を提供することである。
【課題を解決するための手段】
【０００５】
請求項１に記載の発明は、ＤＶＤの再生を、任意の設定入力により変化する再生条件情報又は再生により経時的に変化する再生条件情報に従って行うＤＶＤ再生装置を内蔵するテレビ放送受像装置において、
前記ＤＶＤ再生装置に操作を指示するための操作信号を出力する出力部を備え、
前記ＤＶＤ再生装置は、
前記出力部から前記操作信号として再生停止信号が入力された際に、前記ＤＶＤの複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記ＤＶＤの再生を再開する再生制御手段を備えることを特徴としている。
【０００６】
請求項２に記載の発明は、記録媒体の再生を、任意の設定入力により変化する再生条件情報又は再生により経時的に変化する再生条件情報に従って行う再生装置において、
前記再生装置に操作を指示するための操作信号を出力する出力部と、
前記出力部から前記操作信号として再生停止信号が入力された際に、前記記録媒体の複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
を備えることを特徴としている。
【０００７】
請求項３に記載の発明は、請求項２に記載の再生装置において、
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記記録媒体の再生を再開する再生制御手段を備えることを特徴としている。
【０００８】
請求項４に記載の発明は、記録媒体の再生を、任意の設定入力により変化する再生条件情報又は再生により経時的に変化する再生条件情報に従って行う再生装置を内蔵する電子機器において、
前記再生装置に操作を指示するための操作信号を出力する出力部を備え、
前記再生装置は、
前記出力部から前記操作信号として再生停止信号が入力された際に、前記記録媒体の複数の再生条件情報のうち変化があった再生条件情報を判別し、前記変化のあった再生条件情報の組合せを特定するヘッダ情報と前記変化のあった再生条件情報のみからなるレジューム情報とを記憶装置に記憶させる記憶制御手段と、
を備えることを特徴としている。
【０００９】
請求項５に記載の発明は、請求項４に記載の電子機器において、
前記出力部から前記操作信号として再生を再開させる再生信号が出力された場合に、前記記憶装置に記憶された前記ヘッダ情報と前記レジューム情報とを取得し、前記ヘッダ情報に基づいて前記レジューム情報を参照して、変化のあった再生条件情報を判断して、当該再生条件情報に基づいて前記記録媒体の再生を再開する再生制御手段を備えることを特徴としている。
【発明の効果】
【００１０】
請求項１に記載の発明によれば、テレビ放送受像装置に内蔵されるＤＶＤ再生装置において、出力部から操作信号として再生停止信号が入力された際に、記憶制御手段により、ＤＶＤの複数の再生条件情報のうち変化があった再生条件情報が判別され、変化のあった再生条件情報の組合せを特定するヘッダ情報と変化のあった再生条件情報のみからなるレジューム情報とが記憶装置に記憶されるので、変化のあった再生条件情報のみが記憶されることとなって、記憶処理されるレジューム情報のデータ量が低減されることとなって、レジューム情報をより効率的に記憶できる。
また、変化のあった再生条件情報の組合せを特定するヘッダ情報が、変化のあった再生条件情報のみからなるレジューム情報とともに記憶されるので、当該１つのヘッダ情報を記憶するだけでよいこととなって、変化のあった再生条件情報のそれぞれに当該再生条件を判別するヘッダ情報を設ける場合に比べて記憶処理されるレジューム情報のデータ量を低減することができ、レジューム情報をより効率的に記憶できる。
【００１１】
また、出力部から操作信号として再生を再開させる再生信号が出力された場合に、再生制御手段により、記憶装置に記憶されたヘッダ情報とレジューム情報とが取得され、当該ヘッダ情報に基づいてレジューム情報が参照されて、変化のあった再生条件情報が判断されて、当該再生条件情報に基づいてＤＶＤの再生が再開されるので、停止のたびに全ての再生条件情報を書き換えていた従来技術と変わることなく、ＤＶＤの再生を行うことが可能である。
【００１２】
請求項２に記載の発明によれば、出力部から操作信号として再生停止信号が入力された際に、記憶制御手段により、記録媒体の複数の再生条件情報のうち変化があった再生条件情報が判別され、変化のあった再生条件情報の組合せを特定するヘッダ情報と、変化のあった再生条件情報のみからなるレジューム情報とが記憶装置に記憶されるので、変化のあった再生条件情報のみが記憶されることとなって、記憶処理されるレジューム情報のデータ量が低減されることとなって、レジューム情報をより効率的に記憶できる。
また、変化のあった再生条件情報の組合せを特定するヘッダ情報が、変化のあった再生条件情報のみからなるレジューム情報とともに記憶されるので、当該１つのヘッダ情報を記憶するだけでよいこととなって、変化のあった再生条件情報のそれぞれに当該再生条件を判別するヘッダ情報を設ける場合に比べて記憶処理されるレジューム情報のデータ量を低減することができ、レジューム情報をより効率的に記憶できる。
【００１３】
請求項３に記載の発明によれば、請求項２に記載の発明と同様の効果が得られるのは勿論のこと、特に、出力部から操作信号として再生を再開させる再生信号が出力された場合に、再生制御手段により、記憶装置に記憶されたヘッダ情報とレジューム情報とが取得され、当該ヘッダ情報に基づいてレジューム情報が参照されて、変化のあった再生条件情報が判断されて、当該再生条件情報に基づいて記録媒体の再生が再開されるので、停止のたびに全ての再生条件情報を書き換えていた従来技術と変わることなく、ＤＶＤの再生を行うことが可能である。
【００１４】
請求項４に記載の発明によれば、電子機器に内蔵される再生装置において、出力部から操作信号として再生停止信号が入力された際に、記憶制御手段により、記録媒体の複数の再生条件情報のうち変化があった再生条件情報が判別され、変化のあった再生条件情報の組合せを特定するヘッダ情報と、変化のあった再生条件情報のみからなるレジューム情報とが記憶装置に記憶されるので、変化のあった再生条件情報のみが記憶されることとなって、記憶処理されるレジューム情報のデータ量が低減されることとなって、レジューム情報をより効率的に記憶できる。
また、変化のあった再生条件情報の組合せを特定するヘッダ情報が、変化のあった再生条件情報のみからなるレジューム情報とともに記憶されるので、当該１つのヘッダ情報を記憶するだけでよいこととなって、変化のあった再生条件情報のそれぞれに当該再生条件を判別するヘッダ情報を設ける場合に比べて記憶処理されるレジューム情報のデータ量を低減することができ、レジューム情報をより効率的に記憶できる。
【００１５】
請求項５に記載の発明によれば、請求項４に記載の発明と同様の効果が得られるのは勿論のこと、特に、出力部から操作信号として再生を再開させる再生信号が出力された場合に、再生制御手段により、記憶装置に記憶されたヘッダ情報とレジューム情報とが取得され、当該ヘッダ情報に基づいてレジューム情報が参照されて、変化のあった再生条件情報が判断されて、当該再生条件情報に基づいて記録媒体の再生が再開されるので、停止のたびに全ての再生条件情報を書き換えていた従来技術と変わることなく、記録媒体の再生を行うことが可能である。
【発明を実施するための最良の形態】
【００１６】
以下、図を参照して、本発明に係る再生装置，電子機器，及びテレビ放送受像装置を実施するための最良の形態を詳細に説明する。なお、電子機器としてテレビ放送受像装置１００を例示して説明するとともに、電子機器に内蔵される再生装置としてＤＶＤプレーヤ７を例示して説明する。
【００１７】
本実施形態に係るテレビ放送受像装置１００は、例えば、図１に示すように、アンテナ１，チューナ部２，表示部３，音声出力部４，リモコン５，テレビマイコン６等を備え、ＤＶＤプレーヤ７を内蔵している。
【００１８】
アンテナ１は、例えば、パラボラアンテナやＵＨＦアンテナ等であり、アナログ放送波及びデジタル放送波を含む放送波を受信し、ＲＦ（Radio  Frequency）信号をチューナ部２に出力する。なお、ＣＡＴＶ回線を介してデジタル放送波を受信する場合には、アンテナ１の代わりに、接続ケーブル（図示省略）等が備えられてもよい。
【００１９】
チューナ部２は、例えば、アナログチューナ，デジタルチューナ等であって、ミキサ（図示省略），選局回路（図示省略）等を備えて構成され、ミキサ，選局回路等により、アンテナ１から入力されたテレビジョン放送波のＲＦ信号からユーザが所望するチャンネルのＩＦ（Intermediate  Frequency）信号を生成し、テレビマイコン６へ出力する。
【００２０】
表示部３は、例えば、ＬＣＤ（Liquid  Crystal），ＰＤＰ（Plasma  Display  Panel）等の表示画面（図示省略）を備え、当該表示画面にテレビマイコン６又はＤＶＤマイコン９（後述）から入力される映像信号に基づく映像を表示する。
【００２１】
音声出力部４は、例えば、スピーカ（図示省略）等を備え、テレビマイコン６又はＤＶＤマイコン９から入力される音声信号に基づく音声を出力する。
【００２２】
リモコン５は、例えば、テレビマイコン６に操作を指示するための操作信号を出力するための各種の操作キー（図示省略），各種の操作キーが押下されることによって入力される信号に応じた信号光を発光する発光部（図示省略）等を備えて構成され、各種キーが押下されることによって入力される操作信号に応じた信号光を発光する。また、リモコン５は、テレビマイコン６を介してＤＶＤマイコン９に操作信号を出力し、出力部として機能する。
【００２３】
テレビマイコン６は、例えば、図２（ａ）に示すように、受信部６１，第１通信部６２，ＣＰＵ（Central  Processing  Unit）６３，ＲＡＭ（Random  Access  Memory）６４，記憶部６５等を備えて構成され、チューナ部２，表示部３，音声出力部４等と接続され、テレビ放送受像装置１００の各部の制御を行う。
【００２４】
受信部６１は、例えば、リモコン５から送信された操作信号としての信号光を受光し、これを電気信号に変換してＣＰＵ６３に出力する。
【００２５】
第１通信部６２は、例えば、バス等を介してＤＶＤマイコン９と接続されており、テレビマイコン６とＤＶＤマイコン９との間でデータや信号の通信を行う。
【００２６】
ＣＰＵ６３は、記憶部６５に格納された処理プログラム等を読み出して、ＲＡＭ６４に展開して実行することにより、テレビ放送受像装置１００全体の制御を行う。
【００２７】
ＲＡＭ６４は、ＣＰＵ６３により実行された処理プログラム等を、ＲＡＭ６４内のプログラム格納領域に展開するとともに、入力データや上記処理プログラムが実行される際に生じる処理結果等をデータ格納領域に格納する。
【００２８】
記憶部６５は、例えば、プログラムやデータ等が予め記憶されている記録媒体（図示せず）を有しており、この記録媒体は、例えば、半導体メモリ等で構成されている。また、記憶部６５は、ＣＰＵ６３がテレビ放送受像装置１００全体を制御する機能を実現させるための各種データ，各種処理プログラム，これらプログラムの実行により処理されたデータ等を記憶する。より具体的には、記憶部６５は、例えば、図２（ａ）に示すように、通信プログラム６５Ａ等を格納している。
【００２９】
通信プログラム６５Ａは、例えば、ＣＰＵ６３に、リモコン５からＤＶＤプレーヤーの操作信号が入力された際に、第１通信部６２を制御して、当該操作信号をＤＶＤマイコン９に出力させる機能を実現させるプログラムである。
【００３０】
ＤＶＤプレーヤ７は、例えば、図１に示すように、記憶装置としてのフラッシュメモリ８，ＤＶＤマイコン９等を備えて構成されている。
【００３１】
フラッシュメモリ８は、例えば、電気的にデータを書き換えることができる不揮発性の半導体メモリであって、後述するＣＰＵ９２がレジューム情報保存プログラム９４Ａを実行することによって、レジューム情報が格納される。
【００３２】
ＤＶＤマイコン９は、例えば、図２（ｂ）に示すように、第２通信部９１，ＣＰＵ９２，ＲＡＭ９３，記憶部９４等を備えて構成され、フラッシュメモリ８，表示部３，音声出力部４等と接続され、ＤＶＤプレーヤ７の各部の制御を行う。
【００３３】
第２通信部９１は、例えば、バス等を介してテレビマイコン６と接続されており、ＤＶＤマイコン９とテレビマイコン６との間でデータや信号の通信を行う。
【００３４】
ＣＰＵ９２は、記憶部９４に格納された処理プログラム等を読み出して、ＲＡＭ９３に展開して実行することにより、ＤＶＤプレーヤ７全体の制御を行う。
【００３５】
ＲＡＭ９３は、ＣＰＵ９２により実行された処理プログラム等を、ＲＡＭ９３内のプログラム格納領域に展開するとともに、入力データや上記処理プログラムが実行される際に生じる処理結果等をデータ格納領域に格納する。より具体的には、ＲＡＭ９３は、例えば、ＤＶＤプレーヤ７が記録媒体としてのＤＶＤを再生する際に用いられる複数の再生条件情報を再生条件情報記憶領域９３Ａに一時的に記憶する。
【００３６】
記憶部９４は、例えば、プログラムやデータ等が予め記憶されている記録媒体（図示せず）を有しており、この記録媒体は、例えば、半導体メモリ等で構成されている。また、記憶部９４は、ＣＰＵ９２がＤＶＤプレーヤ７全体を制御する機能を実現させるための各種データ，各種処理プログラム，これらプログラムの実行により処理されたデータ等を記憶する。より具体的には、記憶部９４は、例えば、図２（ｂ）に示すように、レジューム情報保存プログラム９４Ａ，再生制御プログラム９４Ｂ等を格納している。
【００３７】
レジューム情報保存プログラム９４Ａは、例えば、ＣＰＵ９２に、リモコン５から操作信号としての再生停止信号が入力された際に、ＲＡＭ９３の再生条件情報記憶領域９３Ａに記憶された複数の再生条件情報のうち変化があった再生条件情報を判別し、変化のあった再生条件情報の組合せを特定するヘッダ情報と、変化のあった再生条件情報のみからなるレジューム情報とをフラッシュメモリ８に送信して保存させる機能を実現させるプログラムである。ここで、変化のあった再生条件情報とは、例えば、デフォルトの再生条件情報から変化した再生条件情報等であって、ユーザによる設定入力により変化する再生条件の情報又は経時的に変化する再生条件の情報である。ＣＰＵ９２は、かかるレジューム情報保存プログラム９４Ａを実行することにより、記憶制御手段として機能する。
【００３８】
ここで、再生条件情報は、例えば、図３（ａ）に示すようなデータ構造をとって、ＲＡＭ９３の再生条件情報記憶領域９３Ａに記憶されており、オーディオ情報，サブタイトル情報，アングル情報，タイトル情報，チャプター情報，タイム情報，Ｔ．Ｂ．Ｄ情報等の複数の再生条件情報を備えて構成される。
上記再生条件情報の中で、例えば、オーディオ情報、アングル情報等は、人為的に任意に設定の変更が入力されることでその内容が変化しうる再生条件情報であり、チャプター情報，タイム情報等は、再生が進行するに伴いＣＰＵ９２による処理に従って経時的に更新され変化する再生条件情報である。従って、これらの再生条件情報はＤＶＤの再生中に人為的或いは必然的に変化を生じ得るものである。
また、これら複数の再生条件情報は、例えば、オーディオ情報，サブタイトル情報，アングル情報，タイトル情報，チャプター情報，タイム情報，Ｔ．Ｂ．Ｄ情報という順で並んでいる。また、例えば、オーディオ情報，サブタイトル情報，アングル情報，タイトル情報，チャプター情報，Ｔ．Ｂ．Ｄ情報のデータ量は２ｂｙｔｅであり、タイム情報のデータ量は１０ｂｙｔｅである。
【００３９】
また、ヘッダ情報とは、例えば、図３（ｂ）に示すように、オーディオ情報，サブタイトル情報，アングル情報，タイトル情報，チャプター情報，タイム情報，Ｔ．Ｂ．Ｄ情報のそれぞれに変化があった場合を１とし、変化がなかった場合を０とし、１又は０を再生条件情報記憶領域９３Ａにおける各再生条件情報の並び順に並べた情報であり、そのデータ量は１ｂｙｔｅである。
【００４０】
そして、図３に示す例では、ＣＰＵ９２は、レジューム情報保存プログラム９４Ａを実行することにより、再生条件情報のうちオーディオ情報，アングル情報，チャプター情報，タイム情報に変化があったと判別した場合に、ヘッダ情報として、「１０１０１１０」を生成し、当該ヘッダ情報と変化があった再生条件情報のみからなるレジューム情報とをフラッシュメモリ８に送信して保存させる。この場合、ヘッダ情報と変化のあった再生条件情報のみからなるレジューム情報の合計のデータ量は１７ｂｙｔｅとなり、ＲＡＭ９３の再生条件情報記憶領域９３Ａに記憶される再生条件情報のデータ量は２２ｂｙｔｅであるため、フラッシュメモリ８に保存されるヘッダ情報とレジューム情報のデータ量は、ＲＡＭ９３の再生条件情報記憶領域９３Ａに記憶される再生条件情報に比べて、５ｂｙｔｅ少なくなっている。
【００４１】
再生制御プログラム９４Ｂは、例えば、ＣＰＵ９２に、リモコン５から操作信号としての再生停止状態から再開させる再生信号が入力された際に、フラッシュメモリ８に記憶されたヘッダ情報とレジューム情報とを取得し、当該ヘッダ情報に基づいて当該レジューム情報を参照して変化のあった再生条件情報を判断して、当該再生条件情報に基づいてＤＶＤの再生を行う機能を実現させるプログラムである。ＣＰＵ９２は、かかる再生制御プログラム９４Ｂを実行することにより、再生制御手段として機能する。
【００４２】
次に、上述のような構成のテレビ放送受像装置１００のレジューム情報記憶動作を図４に示すフローチャートを参照して説明する。
【００４３】
まず、テレビマイコン６において、ＣＰＵ６３は、リモコン５から再生停止信号が入力されたか否かを判断する（ステップＳ１）。
ステップＳ１において、ＣＰＵ６３が、再生停止信号が入力されていないと判断した場合には（ステップＳ１；Ｎｏ）、ステップＳ１の処理を繰り返す。
ステップＳ１において、ＣＰＵ６３が、再生停止信号が入力されたと判断した場合には（ステップＳ１；Ｙｅｓ）、ＣＰＵ６３は、通信プログラム６５Ａを実行することにより、第１通信部６２を制御して、当該再生停止信号をＤＶＤマイコン９へ送信する（ステップＳ２）。
【００４４】
次に、ＤＶＤマイコン９において、再生停止信号を受信すると（ステップＳ３）、ＣＰＵ９２は、レジューム情報保存プログラム９４Ａを実行することにより、ＲＡＭ９３の再生条件情報記憶領域９３Ａに記憶された複数の再生条件情報のうち変化があった再生条件情報を判別し、ヘッダ情報を変化のあった再生条件情報のみからなるレジューム情報とをフラッシュメモリ８に送信して保存させ（ステップＳ４）、本処理を終了する。
【００４５】
次に、上述のような構成のテレビ放送受像装置１００のレジューム情報記憶後の再生を再開する場合の再生動作を図５に示すフローチャートを参照して説明する。
【００４６】
まず、テレビマイコン６において、ＣＰＵ６３は、リモコン５から再生信号が入力されたか否かを判断する（ステップＳ１１）。
ステップＳ１１において、ＣＰＵ６３が、再生信号が入力されていないと判断した場合には（ステップＳ１１；Ｎｏ）、ステップＳ１１の処理を繰り返す。
ステップＳ１１において、ＣＰＵ６３が、再生信号が入力されたと判断した場合には（ステップＳ１１；Ｙｅｓ）、ＣＰＵ６３は、通信プログラム６５Ａを実行することにより、第１通信部６２を制御して、当該再生信号をＤＶＤマイコン９へ送信する（ステップＳ１２）。
【００４７】
次に、ＤＶＤマイコン９において、再生信号を受信すると（ステップＳ１３）、ＣＰＵ９２は、再生制御プログラム９４Ｂを実行することにより、
フラッシュメモリ８に記憶されたヘッダ情報とレジューム情報とを参照し、当該ヘッダ情報に基づいて当該レジューム情報を参照して変化のあった再生条件情報を判断する。そして、前回のレジューム情報記憶動作において変化があった再生条件情報と変化がなかった再生条件情報とに従ってＤＶＤの再生を実行し（ステップＳ１４）、本処理を終了する。
【００４８】
以上に説明した本発明に係るテレビ放送受像装置１００及びＤＶＤプレーヤ７によれば、テレビ放送受像装置１００に内蔵されるＤＶＤプレーヤ７において、リモコン５から操作信号として再生停止信号が入力された際に、ＣＰＵ９２がレジューム情報保存プログラム９４Ａを実行することにより、ＤＶＤの複数の再生条件情報のうち変化があった再生条件情報が判別され、変化のあった再生条件情報の組合せを特定するヘッダ情報と、変化のあった再生条件情報のみからなるレジューム情報とがフラッシュメモリ８に記憶されるので、変化のあった再生条件情報のみが記憶されることとなって、記憶処理されるレジューム情報のデータ量が低減されることとなって、レジューム情報をより迅速且つ効率的に記憶できる。
また、変化のあった再生条件情報の組合せを特定するヘッダ情報が、変化のあった再生条件情報のみからなるレジューム情報とともに記憶されるので、当該１つのヘッダ情報を記憶するだけでよいこととなって、変化のあった再生条件情報のそれぞれに当該再生条件を判別するヘッダ情報を設ける場合に比べて記憶処理されるレジューム情報のデータ量を低減することができ、レジューム情報をより効率的に記憶できる。
【００４９】
また、リモコン５から操作信号として再生再開信号が出力された場合に、再生制御手段により、フラッシュメモリ８に記憶されたヘッダ情報とレジューム情報とが取得され、当該ヘッダ情報に基づいてレジューム情報が参照されて、変化のあった再生条件情報が判断されて、当該再生条件情報に基づいてＤＶＤの再生が再開されるので、停止のたびに全ての再生条件情報を書き換えていた従来技術と変わることなく、ＤＶＤの再生を行うことが可能である。
【００５０】
なお、本実施形態では、フラッシュメモリ８はＤＶＤマイコン９に接続されることとしたが、テレビマイコン６に接続されてもよい。また、フラッシュメモリ８はＤＶＤマイコン９又はテレビマイコン６に内蔵されていてもよい。
また、本実施形態では、ＤＶＤプレーヤ７が内蔵されるテレビ放送受像装置１００を例示して説明したが、本発明の適用はこれに限られるものではなく、ＤＶＤプレーヤ単体に適用されてもよいし、ＤＶＤとＶＣＲが再生可能な電子機器であってもよい。更に、上記した再生条件情報を記録可能な記録媒体であればどのようなものであってもよい。
また、再生条件情報は、本実施例に例示したものに限られるものではない。
【図面の簡単な説明】
【００５１】
【図１】本発明に係るテレビ放送受像装置を示すブロック図である。
【図２】本発明に係るテレビマイコンを示すブロック図（図２（ａ）），本発明に係るＤＶＤマイコンを示すブロック図（図２（ｂ））である。
【図３】本発明に係る再生条件情報を説明する図（図３（ａ）），ヘッダ情報を説明する図（図３（ｂ）），レジューム情報を説明する図（図３（ｃ））である。
【図４】本発明に係るテレビ放送受像装置のレジューム情報記憶動作を説明するフローチャートである。
【図５】本発明に係るテレビ放送受像装置のレジューム情報記憶後の再生を再開する場合の再生動作を説明するフローチャートである。
【符号の説明】
【００５２】
５  リモコン（出力部）
７  ＤＶＤプレーヤ（ＤＶＤ再生装置，再生装置）
９２  ＣＰＵ（記憶制御手段，再生制御手段）
９４Ａ  レジューム情報保存プログラム（記憶制御手段）
９４Ｂ  再生制御プログラム（再生制御手段）
１００  テレビ放送受像装置（電子機器）
【図１】
2007164860.tif 000003
【図２】
2007164860.tif 000004
【図３】
2007164860.tif 000005
【図４】
2007164860.tif 000006
【図５】
2007164860.tif 000007